(57)【要約】【課題】サービスプロバイダーと携帯電話事業者との関係を問わず、ＳＩＭの能力及び機能の提供を受けることができ、かつ、両者の相互関係を保ちながらセキュリティ等を管理できる、デュアルカードシステムを提供すること。【解決手段】デュアルカードシステムは、第１の基板２１、及び第１の基板２１の上面に第１の複数の接点２５を備えた第１の集積回路（ＩＣ）を有する第１のＩＣチップカード２０と、第２の基板３７、及び第２の基板３７の上面に第２の複数の接点２５を備えた第２のＩＣを有する第２のＩＣチップカード３０とを含む。第２の基板３７は、該第１の複数の接点２５とそれぞれ電気的に結合するために、その底面に第１の複数のピン３５を備える。【選択図】図２
2009518739.tif 000002
【特許請求の範囲】
【請求項１】
第１の基板、及び前記第１の基板の上面に第１の複数の接点を備えた第１の集積回路（ＩＣ）を有する第１のカードと、
第２の基板、及び前記第２の基板の上面に第２の複数の接点を備えた第２のＩＣを有する第２のカードと、を備え、
前記第２の基板は、前記第１の複数の接点とそれぞれ電気的に結合するために、その底面に第１の複数のピンを備えること、
を特徴とするデュアルカードシステム。
【請求項２】
前記第１のカード及び第２のカードのいずれかが、加入者識別モジュール（ＳＩＭ）カードと、汎用ＳＩＭ（ＵＳＩＭ）カードと、加入者情報モジュール（ＵＩＭ）カードと、リムーバブル加入者情報モジュール（ＲＵＩＭ）カードとを備えること、を特徴とする請求項１に記載のデュアルカードシステム。
【請求項３】
前記第２のカードが、ＷＡＰ識別モジュール（ＷＩＭ）であること、を特徴とする請求項１に記載のデュアルカードシステム。
【請求項４】
前記第１のカード及び第２のカードのいずれかが、クレジットカードと、銀行キャッシュ（ＡＴＭ）カードと、イージーカードと、デビットカードと、プリペイドカードとを備えること、を特徴とする請求項１に記載のデュアルカードシステム。
【請求項５】
前記第１の基板が、前記第１のＩＣの開口部以外の場所に開口部を有すること、を特徴とする請求項１に記載のデュアルカードシステム。
【請求項６】
前記開口部がその周辺に沿って複数の突起を備えること、を特徴とする請求項５に記載のデュアルカードシステム。
【請求項７】
前記第２のカードが係合部分をさらに備えること、を特徴とする請求項６に記載のデュアルカードシステム。
【請求項８】
前記係合部分が、前記複数の突起と相応して係合するために複数の切欠きをさらに備えること、を特徴とする請求項７に記載のデュアルカードシステム。
【請求項９】
前記開口部がその周辺に沿って複数の切欠きを備えること、を特徴とする請求項５に記載のデュアルカードシステム。
【請求項１０】
前記第２のカードが係合部分をさらに備えること、を特徴とする請求項９に記載のデュアルカードシステム。
【請求項１１】
前記係合部分が、前記複数の切欠きと相応して係合するために複数の突起をさらに備えること、を特徴とする請求項１０に記載のデュアルカードシステム。
【請求項１２】
前記第２のカードに着脱自在に結合するアンテナをさらに備えること、を特徴とする請求項７または請求項１０に記載のデュアルカードシステム。
【請求項１３】
前記第１のカード及び第２のカードが互いと係合する一方で、前記アンテナが前記第１のカードと前記第２のカードの間に挟まれる端部を有すること、を特徴とする請求項１２に記載のデュアルカードシステム。
【請求項１４】
前記アンテナが積層誘導コイル及び平面アンテナを備えること、を特徴とする請求項１２に記載のデュアルカードシステム。
【請求項１５】
前記第１の複数が前記第２の複数未満であること、を特徴とする請求項１に記載のデュアルカードシステム。
【請求項１６】
前記第１の複数が前記第２の複数の半分であること、を特徴とする請求項１に記載のデュアルカードシステム。
【請求項１７】
前記システムが、携帯電話及びパーソナルデジタルアシスタント（ＰＤＡ）に適用できること、を特徴とする請求項１に記載のデュアルカードシステム。
【請求項１８】
前記システムが、現金自動預入支払機（ＡＴＭ）及び販売時点情報管理（ＰＯＳ）カードリーダに適用できること、を特徴とする請求項１に記載のデュアルカードシステム。
【発明の詳細な説明】
【技術分野】
【０００１】
本発明は、無線通信システムまたは金融取引識別システムに適用されるデュアル集積回路カードのユーザ識別モジュールに関する。さらに詳細には、本発明は集積回路チップカード用の加入者識別モジュール（ＳＩＭ）アプリケーションに関し、無線通信のアドオンアプリケーションを増加できる。さらに本発明は、集積回路チップカード用の加入者識別モジュールアプリケーションとスマートカード用の識別モジュールアプリケーションとを同時に処理することもできる。本発明は、利便性を高めるために金融信用取引に広く適用される。
【背景技術】
【０００２】
一般的に、スマートカードは広く二つの分野に適用されている。一つは、無線通信における加入者識別モジュール（ＳＩＭ）であり、もう一つは金融カード、銀行キャッシュ（ＡＴＭ）カードまたは健康保険カード等の識別システムである。ＳＩＭカードはモバイル通信装置で使用される。ＧＳＭシステムまたはＣＤＭＡシステム等の無線ネットワークシステムを使用する人は、関連する通信サービス会社が発行するＳＩＭカードを有している。ＳＩＭカードには、ユーザの電話番号、電話帳、通話制限、暗証番号（ＰＩＮ）、パーソナル解除キー（ＰＵＫ）等を含むユーザ情報が記憶される。さらに、ユーザが情報を送信するためにＧＳＭ通信網に入ることができるように、ＧＳＭ通信システムは、通信のために真正ＳＩＭカードを採用している。
【０００３】
一般的に、ＳＩＭカードはいわゆる差込式サイズのカードであり、サイズは縦約２５ｍｍ、横１５ｍｍである。実際には銅部分のみが接続に使用される。ＳＩＭカードが携帯電話に接続されるときには、その両方ともが少なくとも５つの接点を有する。ＳＩＭカードは、ＣＰＵ、ＲＡＭ、ＲＯＭ、ＥＥＰＲＯＭまたはフラッシュを含む５つのパーツ、及びシリアル通信装置から構成される。ＳＩＭカードに記憶される情報には、（１）ＧＳＭシステムにおける制御チャネル情報、（２）国際移動電話加入者識別番号（ＩＭＳＩ）及び移動電話加入者仮識別番号（ＴＭＳＩ）、（３）ユーザキー及び秘密アルゴリズム、（４）暗証番号（ＰＩＮ）及びパーソナル解除キー（ＰＵＫ）、及び（５）ＳＩＭツールキットが含まれる。
【０００４】
携帯電話業界において、ＧＳＭ用のＳＩＭ、ＷＣＤＭＡ用のＵＳＩＭ、ＣＤＭＡ２０００用のＲＵＩＭ、及びＰＨＳネットワーク用のＰＩＭ等のスマートカードの使用が広がるのに伴い、セキュリティサービスを提供するために携帯電話に備えられているスマートカード（以後ＵＩＣＣ、汎用ＩＣカードと呼ばれるＳＩＭ／ＵＳＩＭ／ＲＵＩＭ／ＰＩＭ）を活用することによって、多岐に渡るアプリケーションが開発されてきた。携帯電話事業者は、携帯電話事業者が加入者に対して発行したスマートカードに記憶されているキーを認証することにより携帯電話サービスの使用の安全を保証する。さらに、携帯電話事業者は、銀行または他のサービスプロバイダによって提供されるキーをＳＩＭカードに記憶することにより、モバイルバンキング、モバイル株取引サービスのようなプレミアムサービスも提供する。キーは、やはりＳＩＭカード自体に備えられるＳＩＭツールキット（ＳＴＫ）によって作成されるアプリケーションインタフェースを通して操作される。ＷＡＰ（ワイヤレスアプリケーションプロトコル）電話が利用できたとき、ＳＩＭ自体（ＳＷＩＭカード）に、または携帯電話の別のカードスロットに差し込むことができる別のスタンドアロンＷＩＭカードに、証明書及びＰＫＩアルゴリズムを記憶することによってＷＡＰの安全を確保するために、ＷＩＭ（ワイヤレスアイデンティティモジュール）もＳＩＭカードベンダによって開発された。
【発明の開示】
【発明が解決しようとする課題】
【０００５】
携帯電話のキーパッド及び表示画面は、優れたユーザインタフェースで差し込まれたスマートカードを容易にし、サービスプロバイダに対する遠隔アクセスの移動性がサービスの移動性という目標をさらに達成する。サービス移動性を達成するために、銀行、クレジットカード発行会社、取引カード発行会社、証明書発行者、株式ブローカのようなサービスプロバイダは、熱心に携帯電話事業者と協力し、彼らの職業に該当するサービスを提供するために機能が強化されたＳＩＭカードを発行する。しかしながら、ＳＩＭの能力及び機能性のプロビジョニング及び管理は携帯電話事業者の管理下にあるため、それは合意した関係者のみが参画可能な閉鎖的なシステムを形成する。さらに、サービスプロバイダと携帯電話事業者は、相互不信の関係にあり、セキュリティ及び支払い方法の管理に関して、ともに同じような検討課題を抱えている。これが携帯電話セキュリティサービスの発展の主要な障害になっている。従って、本発明は上記の障害を解決することを目的とする。
【０００６】
一方で、従来のスマートカードは、縦８４ｍｍ、横５４ｍｍのＩＳＯサイズのカードであり、一般的には、金融カード、クレジットカード、銀行キャッシュ（ＡＴＭ）カード等の金融取引システム、または健康保険カード等の識別システムで適用される。いくつかのスマートカードは、コンタクトレスカードと呼ばれるコンタクトレスアプリケーションを提供するためにプラスチックカードの内部に取り囲まれたアンテナを含み、通常は、道路通行料自動徴収システム（ＥＴＣ）及び地下鉄料金徴収等の入場管理または移動支払いシステムに適用される。ユーザが、料金所通過時に停止して、遅れることなく、逆方向会計業務システムによって自動的に料金が請求されるように、道路通行料自動徴収システム（ＥＴＣ）が採用する自動車両識別（ＡＶＩ）、自動車種区分（ＡＶＣ）及びビデオ施行システム（ＶＥＳ）等の順方向通信装置は、車内に配置される車載装置（ＯＢＵ）を検出し、走査し、また逆の場合も同じである。
【０００７】
図１は、従来の技術によるＩＣチップカード１０を示す図である。ＩＣチップカード１０はＩＣチップ１４を有し、ＩＣチップ１４は基板１１の表面に接着されるか、あるいは基板１１の中に埋め込まれる。基板１１は、携帯機器の中に容易にＩＣチップカード１０を差し込むために斜めになった隅部１３を含む。
【０００８】
ＩＣチップカード１０は８つの接点１５を有するが、６つの接点１５のみが使用され、導線を通して携帯機器に接続される。６つの接点１５は、それぞれＶＣＣ（作業電圧）、ＲＳＴ（リセット）、ＣＬＫ（クロック）、ＧＮＤ（接地）、ＶＰＰ（プログラミング電圧）、及びＩ／Ｏ（データ入力／出力）である。
【課題を解決するための手段】
【０００９】
本段落では、本発明の特徴の幾つかを抜粋し、それらをまとめている。他の特徴は、以下の段落において開示されている。本発明には、添付の請求項の精神及び範囲内に含まれる種々の変更や類似の構成を含むことが意図されている。
【００１０】
本発明の態様によれば、デュアルカードシステムは、第１の基板、及び第１の基板の上面に第１の複数の接点を備えた第１の集積回路（ＩＣ）を有する第１のカードと、第２の基板、及び第２の基板の上面に第２の複数の接点を備えた第２のＩＣを有する第２のカードとを含む。第２の基板は、第１の複数の接点とそれぞれ電気的に結合するために、その底面に第１の複数のピンを備える。
【００１１】
好ましくは、第１のカード及び第２のカードのいずれかは、加入者識別モジュール（ＳＩＭ）カード、汎用ＳＩＭ（ＵＳＩＭ）カード、加入者情報モジュール（ＵＩＭ）、及びリムーバブル加入者情報モジュール（ＲＵＩＭ）カードを含む。
【００１２】
好ましくは、第１のカードは、加入者識別モジュール（ＳＩＭ）カード、汎用ＳＩＭ（ＵＳＩＭ）カード、加入者情報モジュール（ＵＩＭ）カード、及びリムーバブル加入者情報モジュール（ＲＵＩＭ）カードを含む一方、第２のカードは、ＷＩＭ（ＷＡＰ識別モジュール）カードまたは銀行カードのようなセキュリティ機能を含む。
【００１３】
好ましくは、第１のカード及び第２のカードのいずれかは、クレジットカード、銀行キャッシュ（ＡＴＭ）カード、イージーカード、デビットカード及びプリペイドカードを含む。
【００１４】
好ましくは、第１の基板は、第１のＩＣの開口部以外の場所に開口部を有する。
【００１５】
好ましくは、開口部は、その周辺に沿って複数の突起を備える。
【００１６】
好ましくは、第２のカードは係合部分をさらに含む。
【００１７】
好ましくは、係合部分は、複数の突起と相応して係合するために複数の切欠きをさらに含む。
【００１８】
好ましくは、開口部は、その周辺に沿って複数の切欠きを備える。
【００１９】
好ましくは、第２のカードは、係合部分をさらに含む。
【００２０】
好ましくは、係合部分は、複数の切欠きと相応して係合するためにさらに複数の突起を含む。
【００２１】
好ましくは、第２のカードに着脱自在に結合するアンテナをさらに含む。
【００２２】
好ましくは、第１のカードと第２のカードが互いに係合する一方で、アンテナは第１のカードと第２のカードの間に挟まれる端部を有する。
【００２３】
好ましくは、アンテナは、積層誘導コイル及び平面アンテナを含む。
【００２４】
好ましくは、第１の複数は、第２の複数未満である。
【００２５】
好ましくは、第１の複数は、第２の複数の半分である。
【００２６】
好ましくは、このシステムは、携帯電話及びパーソナルデジタルアシスタント（ＰＤＡ）に適用できる。
【００２７】
好ましくは、このシステムは、現金自動預入支払機（ＡＴＭ）及び販売時点情報管理（ＰＯＳ）カードリーダに適用できる。
【００２８】
本発明の上述の目的及び利点は、以下の詳細な説明及び添付の図面を吟味することにより、当業者にはより良く理解されよう。
【発明の効果】
【００２９】
第１のカードが第２のカードと接触すると、第２のＩＣの情報を記憶し、制御できる。すなわち、第２のカードは第１のカードを制御できる。さらには、本発明は集積回路チップカード用の加入者識別モジュール（ＳＩＭ）アプリケーションに関し、無線通信のアドオンアプリケーションを増加できる。さらに本発明は、集積回路チップカード用の加入者識別モジュールアプリケーションとスマートカード用の識別モジュールアプリケーションとを同時に処理することもできる。本発明は、利便性を高めるために金融信用取引に広く適用される。
【発明を実施するための最良の形態】
【００３０】
本発明は、携帯電話またはパーソナルデジタルアシスタント（ＰＤＡ）等の通信端末と、あるいはトランザクション端末、すなわち現金自動預入支払機（ＡＴＭ）及び販売時点情報管理（ＰＯＳ）カードリーダとを使用するためのデュアル集積回路（ＩＣ）カードシステムを開示する。以下の記述は、前述のアプリケーションを説明することを目的とする。
【００３１】
〔第１の実施形態〕
第１の実施形態は、加入者識別モジュール（ＳＩＭ）、汎用加入者識別モジュール（ＵＳＩＭ）、加入者情報モジュール（ＵＩＭ）またはリムーバブル加入者情報モジュール（ＲＵＩＭ）等に適用できる。本発明の特徴は、構造的に第１の基板と第２の基板とを含み、第１のＩＣチップ及び第２のＩＣチップがそれぞれその上に搭載されているという点である。第２のＩＣチップは、第１のＩＣチップカードの接点に結合する。第２のＩＣチップは、アドオン機能を制御、記憶、及び実行するために利用される。第２のＩＣチップは、追加購読及び発行後ＳＩＭツールキット（ＳＴＫ）アプリケーション等のアドオン機能、すなわちモバイルバンク、モバイル株取引等を実行するために、第１のＩＣチップから携帯通信装置への応答信号を改良することができる。
【００３２】
図２は、本発明に係る第１のＩＣチップカードの図である。第１のＩＣチップカード２０は第１のＩＣチップ２４を有し、第１のＩＣチップ２４は複数の接点２５を含む。前述の第１のＩＣチップ２４は、第１の基板２１の表面に取り付けられるか、あるいは埋め込まれ、領域２６の中に配置される。第１の基板２１は、携帯通信装置の第１のＩＣチップカード２０のキャリヤまたはホルダーの中に正確に挿入を誘導するための切り取られた隅部２３を含む。
【００３３】
第１のＩＣチップカード２０が携帯通信装置の接続ピンと接触すると、第１のＩＣチップカード２０は、第１のＩＣチップカード２０に記憶される情報にアクセスできる。さらに、第１のＩＣチップカード２０は、第２の基板３７上に配置される第２のＩＣチップ３４を収容するための開口部２２を有する。第１の実施形態においては、第２のＩＣチップ３４を保持するために、開口部２２の端縁に沿って形成される複数の突起４２がある。さらに、突起４２は、開口部２２の上縁及び下縁に沿うように構成されるが、これに限定されない。突起４２は、開口部２２の左端縁及び右端縁に沿っても形成できよう。第１のＩＣチップ２４は８つの接点２５を含むが、接点２５の数は８つに制限されない。
【００３４】
加入者識別モジュール（ＳＩＭ）に加えて、本発明が汎用加入者識別モジュール（ＵＳＩＭ）、加入者情報モジュール（ＵＩＭ）またはリムーバブル加入者情報モジュール（ＲＵＩＭ）等にも活用されることは、当業者には理解されよう。
【００３５】
この実施形態においては、第１の基板２１は、クレジットカードのプラスチック材料と同様のプラスチック材料から作ることができる。第１の基板２１の厚さは、好ましくは０．７６ｍｍと０．８ｍｍの間の範囲内である。第１のＩＣチップカード２０のサイズ、材料及び形状は、加入者識別モジュール（ＳＩＭ）カードの規格に準拠する。
【００３６】
図３は、本発明の第１の実施形態に係る第２のＩＣチップカード３０の前面を示す。第２のＩＣチップカード３０は、アンテナ４０に結合する第２のＩＣチップ３４を有する第２の基板３７を含む。アンテナ４０の位置は、図３に図示したように配置できる。第２のＩＣチップ３４は、突出する隆起、つまりパッケージ３２を有する。さらに突出する隆起、つまりパッケージ３２の上縁または下縁のいずれかに溝４４が別個に設けられ、第１のＩＣチップカード２０の開口部２２上に配置された突起４２と係合し、その結果第１のＩＣチップカード２０は第２のＩＣチップカード３０としっかりと接続できる。溝４４と突起４２の両方が互いに一致するように構成されることは理解されよう。従って、溝４４は突出する隆起、つまりパッケージ３２の上縁及び下縁で構成され、それらはまた突出する隆起、つまりパッケージ３２の右縁及び左縁にも形成できよう。さらに突出する隆起、つまりパッケージ３２のサイズは、実質的には開口部２２のサイズと一致する。同様に、突出する隆起、つまりパッケージ３２上の両方の溝４４のサイズと位置、ならびに開口部２２上の突起４２のサイズと位置も互いと一致する。図４は、本発明の第１の実施形態に係る第２のＩＣチップカード３０の背面を示す。複数の接続ピン４１が、第２のＩＣチップカード３０の背面に含まれる。
【００３７】
さらに、第２のＩＣチップ３４は、第２のＩＣチップカード３０の表面に取り付けられるか、あるいは埋め込まれたフリップカードであってもよい。第２のＩＣチップカード３０は、撓みやすいプリント回路基板または硬いプリント回路基板である。さらに、この実施形態では、フレキシブルプリント回路基板が採用される。第１の実施形態においては、第２のＩＣチップ３４は、積層基板（ＬＣＢ）等の第２の基板３７に取り付けられるか、あるいは埋め込まれる。第２のＩＣチップカード３０は、信号入出力（Ｉ／Ｏ）領域３８を含む。信号Ｉ／Ｏ領域３８は、携帯電話等の携帯機器に信号を送信するための第１のＩＣチップ２４との結合のためのワイヤを配置するために、複数のピン３５及び複数のスルーホール３６を含む。図３を参照すると、ピン３５は「○」記号で示し、スルーホール３６は「×」記号で示してある。例えば、信号Ｉ／Ｏ領域３８は、８本のピン３５及び１４個のスルーホール３６を含むが、本発明はこれらの数によって制限されない。
【００３８】
さらに、第２のＩＣチップ３４は、高度な電話帳、ショートメッセージ等の情報を記憶するための、電気的に消去可能なＰＲＯＭ（ＥＥＰＲＯＭ）またはフラッシュメモリ等のメモリも含む。
【００３９】
図５は、本発明の第１の実施形態に係る第１のＩＣチップカード及び第２のＩＣチップカード２０の組み合わせの斜視上面図である。図６は、本発明の第１の実施形態に係る第１のＩＣチップカード２０及び第２のＩＣチップカード３０の組み合わせの図である。第１のチップカード２０の開口部２２の突起４２が第２のＩＣチップカード３０の突出する隆起、つまりパッケージ３２の溝４４と位置合わせされると、第１のＩＣチップカード２０の第１のＩＣチップ２４は、第２のＩＣチップカード３０の信号Ｉ／Ｏ領域３８と直接的にまたは間接的に接触することが可能であり、第１のＩＣチップ２４上の複数の接点２５は、Ｉ／Ｏ接続を確立するために信号Ｉ／Ｏ領域３８の中のピン３５及びスルーホール３６と接触することができる。接続ピン４１は、モバイルサービスシステムと第２のＩＣチップ３４の間で通信するための接触インタフェースであり、同様に接触インタフェースはコンタクトレストレードサービスシステムと第２のＩＣチップ３４の間での通信用でもある。従って、図５に図示するような信号Ｉ／Ｏ領域３８内のスルーホール３６は、図６に示すように、第１のＩＣチップ２４の接点２５にそれぞれリダイレクトされる。
【００４０】
第１の実施形態においては、第１のＩＣチップカード２０はＳＩＭであるが、第１のＩＣチップカード２０がＵＳＩＭカード、ＲＵＩＭカードまたはＰＩＭカードであってもよいことは、当業者には理解されよう。
【００４１】
図７は、第１のＩＣチップカード２０及び第２のＩＣチップカード３０の組み合わせの斜視背面図を示す。第１のＩＣチップカード２０及び第２のＩＣチップカード３０は互いと直に接触している。信号Ｉ／Ｏ領域３８は第１のＩＣチップ２４と直に接触し、第２のＩＣチップ３４は、複数のワイヤ３９によって信号Ｉ／Ｏ領域３８のピン３５及びスルーホール３６とそれぞれ電気的に接続されている。ワイヤ３９は、第１のＩＣチップカード２０に電気的に結合し、携帯電話及びパーソナルデジタルアシスタント（ＰＤＡ）等の携帯機器とさらに接続する。
【００４２】
ワイヤ３９の組み合わせ及び配置は、異なる状況により変更及び修正することが可能であり、本発明は、本明細書及び下記に開示される実施形態によって制限されるものではない。従って、図７では、ピン３５、スルーホール３６、及びワイヤ３９の組み合わせは単なる例示であり、本発明を制限するものではない。第１の実施形態では、信号Ｉ／Ｏ領域３８の中心部分の８本のピン３５がそれぞれ左側及び右側の８個のスルーホール３６に接続され、続いて、第２のＩＣチップ３４のピン３５に接続される。従って、第１のＩＣチップ２４は、第２の基板３７上のピン３５及びスルーホール３６を介して第２のＩＣチップ３４と通信できる。
【００４３】
図７及び図８は、本発明の第１の実施形態に係る信号接続ピンの組み合わせを示す。信号Ｉ／Ｏ領域３８の両側のピン３５及びスルーホール３６はそれぞれ、第２のＩＣチップ３４の接続ピンＣ１、Ｃ２、Ｃ３、Ｃ４、Ｃ５、Ｃ６、Ｃ７及びＣ８にリダイレクトされ、結合する。信号Ｉ／Ｏ領域３８の実質的に真中の部分に位置するピン３５は、それぞれ図８に図示したように、信号Ｉ／Ｏ領域３８の内側のスルーホール３６を介して接続ピンＴ１、Ｔ２、Ｔ３、Ｔ４、Ｔ５、Ｔ６、Ｔ７及びＴ８にリダイレクトされ、結合する。
【００４４】
さらに、本発明は、８本のピン３５を有するスマートカードとは異なる。第２のＩＣチップカード３０の接触インタフェースでは、本発明は１６本のピン３５、Ｃ１からＣ８及びＴ１からＴ８を提供する。接続ピンＣ１からＣ８は、従来のスマートカードの接続ピンと同じである。接続ピンＴ１からＴ８は、本発明によって付加的に提供される。カードリーダまたは携帯機器は、本発明の接続ピンＴ１からＴ８を使用することにより第２のＩＣチップカード３０の制御を受けずに第１のＩＣチップカード２０と直接的に通信できる。さらに、接続ピンＴ１からＴ８は、第２のＩＣチップ３４の配送中に第２のＩＣチップ３４と第１のＩＣチップ２４の間でＩ／Ｏ通信を試験するために使用してもよい。第１の実施形態においては、第２のＩＣチップカード３０の接続ピンＴ１からＴ８及び接続ピンＣ１からＣ８は、実質的に並列である。
【００４５】
従って、第１のＩＣチップカード２０が第２のチップカード３０と接触すると、第２のＩＣチップ３４が第１のＩＣチップ２４の情報を記憶し、制御できる。すなわち、第２のＩＣチップカード３０は、第１のＩＣチップカード２０を制御できる。
【００４６】
第１の実施形態では、第１のＩＣチップカード２０が第２のＩＣチップカード３０と係合する際、その間の接着を改善するために両方のＩＣチップカードの間に接着材料を塗布できる。
【００４７】
第２の基板３７は、第１のＩＣチップカード２０の接点２５と接触し、それにより第２のＩＣチップ３４が携帯機器と直接的に通信できるようになる。すなわち、第２のＩＣチップカード３０の第２の基板３７は、携帯機器のピン３５に直接的に接触してもよい。
【００４８】
加えて、携帯機器は、いくつかの機能を実施するために第２のＩＣチップカード３０を直接的に制御できる。第２のＩＣチップ３４のアプリケーションによれば、第２のＩＣチップカード３０は、携帯機器のピンと第１のＩＣチップカード２０間の通信を分析、制御し、第２の無線通信番号の登録及び切り替え、発行後の加入者識別モジュール（ＳＩＭ）ツールキットアプリケーション（例えば、モバイルバンク、モバイル株式、またはＷＡＰ識別モジュール（ＷＩＭ）のセキュリティ機能を実行する）等のアドオンアプリケーションを実行するために、第１のＩＣチップカード２０から携帯機器のピン３５への応答信号を改良することができる。通常は携帯電話事業者によって発行される第１のＩＣチップカード２０のＳＩＭ／ＵＩＭ／ＵＩＣＣ／ＲＵＩＭアプリケーションツールキットのアプリケーションは、銀行、株式ブローカ、ＰＫＩ証明機関（ＣＡ）または第２の無線携帯電話事業者によって開発されたアプリケーション等の専用のアプリケーションと、第２のＩＣチップカード３０によって統合できる。
【００４９】
〔第２の実施形態〕
第２の実施形態は、現金自動預入支払機（ＡＴＭ）及び販売時点情報管理（ＰＯＳ）カードリーダ等の固定端末機に適用できる。この実施形態においては、第１のＩＣチップカード２０は、スマートカード４３ａである場合がある。スマートカード４３ａは、クレジットカード、銀行キャッシュ（ＡＴＭ）カード、債務−クレジットカード、及びプリペイドカードを含むが、それらには限定されない。第２のＩＣチップカード３０ａは、信号受信機装置、通常は平面アンテナを有する。本発明の大部分の要素が第１の実施形態の要素とほぼ同様であり、その詳細な説明が省略されることは理解されよう。
【００５０】
図９は、本発明の第２の実施形態によるスマートカード４３ａと第２のＩＣチップカード３０ａの係合の斜視図である。スマートカード４３ａは、一般的には「ＩＳＯサイズのカード」と呼ばれ、そのサイズは銀行キャッシュ（ＡＴＭ）カードまたはクレジットカードのサイズとほぼ同様である。スマートカード４３ａは、領域２６ａ内に第１のＩＣチップ２４ａ及び開口部２２ａを有する。スマートカード４３ａ及び第２のＩＣチップカード３０ａをともに保持するために、第２のＩＣチップカード３０ａの突出する隆起、つまりパッケージ３２ａの上側及び下側のいずれかの上の溝４４ａに、それぞれ対応する開口部２２ａの上縁及び下縁のいずれかに設けられる突起４２ａがある。さらに、突起４２ａは、開口部２２ａの上縁及び下縁に配置されるが、それらは開口部２２ａの左端部及び右端部に配置することもできよう。
【００５１】
図９に示すように、第２のＩＣチップカード３０ａは、第２のＩＣチップカード３４ａを含む。第２のＩＣチップ３４ａは、第２のＩＣチップカード３０ａの表面に取り付けられるか、あるいは埋め込まれたフリップチップである。第２のＩＣチップカード３０ａは、撓みやすいプリント基板または硬いプリント基板等の基板３７ａも含む。この実施形態では、フレキシブル回路基板が採用されている。第２の実施形態においては、第２のＩＣチップ３４ａは、積層回路基板（ＬＣＢ）等の第２の基板３７ａに取り付けられるか、あるいは埋め込まれる。ＩＣチップカード３０ａは、実質的には図３及び図４に図示したように、一方の側に複数のピン及びスルーホール（図示せず）を、他方の側に複数の接続ピン４１ａを有する。
【００５２】
第２の実施形態においては、スマートカード４３ａは、クレジットカード、銀行キャッシュ（ＡＴＭ）カード、債務−クレジットカードまたはプリペイドカードである場合がある。従って、スマートカード４３ａは、現金自動預入支払機（ＡＴＭ）及び販売時点情報管理（ＰＯＳ）カードリーダに適用できる。
【００５３】
第２の実施形態では、スマートカード４３ａが第２のＩＣチップカード３０ａと係合する際、その間の接着を改善するために両方のカードの間に接着材料を塗布できる。
【００５４】
他方、スマートカード４３ａは、アンテナ４０ａに結合し、近距離電気的無線取引または識別のために機能できる。アンテナ４０ａは、積層誘導コイルアンテナまたは平面アンテナでありうる。第２の実施形態においては、アンテナ４０ａの配置は、前述の説明によって制限されないため、アンテナ４０ａの形状及び型は多様な要件を満たすために変更できる。スマートカード４３ａが第２のＩＣチップカード３０ａと結合するときに、平面アンテナはスマートカード４３ａのアンテナ配置領域４５ａの内部に配置できる。
【００５５】
本発明によれば、以下の表１はツールキットの名称ならびに識別モジュールと通信システムプロトコルの関係を示す。
【００５６】
【表１】
2009518739.tif 000003
【００５７】
本発明は、現時点において最も実用的で好適な実施形態の観点から説明されたが、これまでに開示した実施形態に限定されるものではないことを理解されたい。むしろ本発明は、添付の特許請求の範囲に記載の精神と範囲内における様々な変形及び同様の構成を含むことを意図しており、添付の特許請求の範囲は最も広範な解釈がなされ、かかる変形及び同様の構成を包含するものである。
【図面の簡単な説明】
【００５８】
【図１】従来の技術によるＩＣチップカードを示す図である。
【図２】本発明の第１の実施形態に係る第１のＩＣチップカードを示す図である。
【図３】本発明の第１の実施形態に係る第２のＩＣチップカードの前面を示す図である。
【図４】本発明の第１の実施形態に係る第２のＩＣチップカードの背面を示す図である。
【図５】本発明の第１の実施形態に係る第１のＩＣチップカード及び第２のＩＣチップカードの組み合わせを示す斜視上面図である。
【図６】本発明の第１の実施形態に係る第１のＩＣチップカード及び第２のＩＣチップカードの組み合わせを示す斜視底面図である。
【図７】本発明の第１の実施形態に係る第１のＩＣチップカード及び第２のＩＣチップカードの組み合わせ、ならびにワイヤの配置を示す斜視背面図である。
【図８】本発明の第１の実施形態に係る複数の接続ピンを有する第１のＩＣチップカード及び第２のＩＣチップカードの組み合わせを示す図である。
【図９】本発明の第２の実施形態に係るスマートカードおよびＩＣチップカードの組み合わせを示す斜視図である。
【符号の説明】
【００５９】
２０  第１のＩＣチップカード
２１  第１の基板
２２  開口部
２３  隅部
２４  第１のＩＣチップ
４２  突起
【図１】
2009518739.tif 000004
【図２】
2009518739.tif 000005
【図３】
2009518739.tif 000006
【図４】
2009518739.tif 000007
【図５】
2009518739.tif 000008
【図６】
2009518739.tif 000009
【図７】
2009518739.tif 000010
【図８】
2009518739.tif 000011
【図９】
2009518739.tif 000012
【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
第１の基板、及び前記第１の基板の上面に第１の複数の接点を備えた第１の集積回路（ＩＣ）を有する第１のカードと、
第２の基板、及び前記第２の基板の上面に第２の複数の接点を備えた第２のＩＣを有する第２のカードと、を備え、
前記第２の基板は、前記第１の複数の接点とそれぞれ電気的に結合するために、その底面に第１の複数のピンを備え、
前記第１の基板は、前記第１のＩＣの開口部以外の場所に開口部を有し、前記開口部がその周辺に沿って複数の突起を備えること、
を特徴とするデュアルカードシステム。
【請求項２】
前記第１のカード及び第２のカードのいずれかが、加入者識別モジュール（ＳＩＭ）カード、汎用ＳＩＭ（ＵＳＩＭ）カード、加入者情報モジュール（ＵＩＭ）カード、又はリムーバブル加入者情報モジュール（ＲＵＩＭ）カードを備えること、を特徴とする請求項１に記載のデュアルカードシステム。
【請求項３】
前記第２のカードがＷＡＰ識別モジュール（ＷＩＭ）であること、を特徴とする請求項１に記載のデュアルカードシステム。
【請求項４】
前記第１のカード及び第２のカードのいずれかが、クレジットカード、銀行キャッシュ（ＡＴＭ）カード、イージーカード、デビットカード、又はプリペイドカードを備えること、を特徴とする請求項１に記載のデュアルカードシステム。
【請求項５】
前記第２のカードが係合部分をさらに備えること、を特徴とする請求項１に記載のデュアルカードシステム。
【請求項６】
前記係合部分が、前記複数の突起と相応して係合するために複数の切欠きをさらに備えること、を特徴とする請求項５に記載のデュアルカードシステム。
【請求項７】
第１の基板、及び前記第１の基板の上面に第１の複数の接点を備えた第１の集積回路（ＩＣ）を有する第１のカードと、
第２の基板、及び前記第２の基板の上面に第２の複数の接点を備えた第２のＩＣを有する第２のカードと、を備え、
前記第２の基板は、前記第１の複数の接点とそれぞれ電気的に結合するために、その底面に第１の複数のピンを備え、
前記第１の基板は、前記第１のＩＣの開口部以外の場所に開口部を有し、前記開口部がその周辺に沿って複数の切欠きを備えること、
を特徴とするデュアルカードシステム。
【請求項８】
前記第２のカードが係合部分をさらに備えること、を特徴とする請求項７に記載のデュアルカードシステム。
【請求項９】
前記係合部分が、前記複数の切欠きと相応して係合するために複数の突起をさらに備えること、を特徴とする請求項８に記載のデュアルカードシステム。
【請求項１０】
前記第２のカードに着脱自在に結合するアンテナをさらに備えること、を特徴とする請求項９に記載のデュアルカードシステム。
【請求項１１】
前記第１のカード及び第２のカードが互いと係合する一方で、前記アンテナが前記第１のカードと前記第２のカードの間に挟まれる端部を有すること、を特徴とする請求項１０に記載のデュアルカードシステム。
【請求項１２】
前記アンテナが積層誘導コイル及び平面アンテナを備えること、を特徴とする請求項１０に記載のデュアルカードシステム。
【請求項１３】
第１の基板、及び前記第１の基板の上面に第１の複数の接点を備えた第１の集積回路（ＩＣ）を有する第１のカードと、
第２の基板、及び前記第２の基板の上面に第２の複数の接点を備えた第２のＩＣを有する第２のカードと、を備え、
前記第２の基板は、前記第１の複数の接点とそれぞれ電気的に結合するために、その底面に第１の複数のピンを備え、
前記第１の複数が前記第２の複数未満であること、
を特徴とするデュアルカードシステム。
【請求項１４】
前記第１の複数が前記第２の複数の半分であること、を特徴とする請求項１３に記載のデュアルカードシステム。
【請求項１５】
前記システムが、携帯電話及びパーソナルデジタルアシスタント（ＰＤＡ）に適用できること、を特徴とする請求項１に記載のデュアルカードシステム。
【請求項１６】
前記システムが、現金自動預入支払機（ＡＴＭ）及び販売時点情報管理（ＰＯＳ）カードリーダに適用できること、を特徴とする請求項１に記載のデュアルカードシステム。
【請求項１７】
前記第１のカード及び第２のカードのいずれかが、加入者識別モジュール（ＳＩＭ）カード、汎用ＳＩＭ（ＵＳＩＭ）カード、加入者情報モジュール（ＵＩＭ）カード、又はリムーバブル加入者情報モジュール（ＲＵＩＭ）カードを備えること、を特徴とする請求項９に記載のデュアルカードシステム。
【請求項１８】
前記第２のカードがＷＡＰ識別モジュール（ＷＩＭ）であること、を特徴とする請求項９に記載のデュアルカードシステム。
【請求項１９】
前記第１のカード及び第２のカードのいずれかが、クレジットカード、銀行キャッシュ（ＡＴＭ）カード、イージーカード、デビットカード、又はプリペイドカードを備えること、を特徴とする請求項９に記載のデュアルカードシステム。
【請求項２０】
前記システムが、携帯電話及びパーソナルデジタルアシスタント（ＰＤＡ）に適用できること、を特徴とする請求項９に記載のデュアルカードシステム。
【請求項２１】
前記システムが、現金自動預入支払機（ＡＴＭ）及び販売時点情報管理（ＰＯＳ）カードリーダに適用できること、を特徴とする請求項９に記載のデュアルカードシステム。
【請求項２２】
前記第２のカードに着脱自在に結合するアンテナをさらに備えること、を特徴とする請求項１０に記載のデュアルカードシステム。
【請求項２３】
前記第１のカード及び第２のカードが互いと係合する一方で、前記アンテナが前記第１のカードと前記第２のカードの間に挟まれる端部を有すること、を特徴とする請求項２２に記載のデュアルカードシステム。
【請求項２４】
前記アンテナが積層誘導コイル及び平面アンテナを備えること、を特徴とする請求項２２に記載のデュアルカードシステム。
【国際調査報告】
2009518739.tif 000013
2009518739.tif 000014